(57)【要約】【課題】人体患部に継続的に、心地よく新鮮な干渉刺激を付与できるリズム刺激付干渉低周波治療器を提供すること。【解決手段】干渉低周波治療器５において、出力される搬送波Ａ・Ｂのそれぞれを振幅変調して、パルス状の波形が付加された変調搬送波ａ・ｂを形成し、この変調搬送波ａ・ｂを人体に通電し、該人体に干渉刺激及びパルス形振幅変調刺激を付与し、又、干渉低周波治療器５は、主制御部1と、出力発振部２ａ・２ｂと、増幅部３ａ・３ｂと、制御部４とを有し、出力発振部２ａ・２ｂから出力された搬送波Ａ・Ｂは、増幅部３ａ・３ｂにて波形指示信号でそれぞれ振幅変調され、振幅変調された変調搬送波ａ・ｂは、拡大振幅部分Ｎを有する干渉波Ｄを人体内で発生し、該拡大振幅部分Ｎは人にパルス形振幅変調刺激を付与するリズム刺激付干渉低周波治療器である。  【選択図】      図１
2010131316.tif 000002
【特許請求の範囲】
【請求項１】
干渉低周波治療器５において、出力される搬送波Ａ・Ｂのそれぞれを振幅変調して、パルス状の波形が付加された変調搬送波ａ・ｂを形成し、
この変調搬送波ａ・ｂを人体に通電し、該人体に干渉刺激及びパルス形振幅変調刺激を付与するリズム刺激付干渉低周波治療器。
【請求項２】
干渉低周波治療器５は、主制御部1と、出力発振部２ａ・２ｂと、増幅部３ａ・３ｂと、制御部４とを有し、出力発振部２ａ・２ｂから出力された搬送波Ａ・Ｂは、増幅部３ａ・３ｂにて波形指示信号でそれぞれ振幅変調され、
振幅変調された変調搬送波ａ・ｂは、拡大振幅部分Ｎを有する干渉波Ｄを人体内で発生し、該拡大振幅部分Ｎは人にパルス形振幅変調刺激を付与することを特徴とする請求項１記載のリズム刺激付干渉低周波治療器。
【請求項３】
予め主制御部１に、リズム刺激に係るパルス周波数（＝１／パルス周期Ｆｐ）と、干渉刺激に係る干渉周波数（＝１／干渉周期Ｆｄ）とを組み合わせてなる１単位のステップを、それぞれ異なる周波数を宛がって１又は複数個作成し記録し、
前記ステップのいずれかを所定秒数ごとに択一的に出力し、生体に通電し、該生体にリズム刺激を付与することを特徴とする請求項１又は２記載のリズム刺激付干渉低周波治療器。
【請求項４】
搬送波Ａ・Ｂのそれぞれを振幅変調させ、制御部４から出力する２個の波形指示信号は、互いに同期しており、変調した変調搬送波ａ・ｂには２個の波形指示信号に起因する拡大振幅部分Ｋ・Ｍが、互いに同期して形成され、
同期した拡大振幅部分Ｋ・Ｍによって干渉波Ｄに間欠的な拡大振幅部分Ｎが現出することを特徴とする請求項１又は２又は３記載のリズム刺激付干渉低周波治療器。
【請求項５】
出力発振部２ａ・２ｂから出力された搬送波Ａ・Ｂをパルス制御部４ａ・４ｂから出力された波形指示信号で振幅変調してなすリズムモードと、前記搬送波Ａ・Ｂを低周波乙制御部１３ａ・１３ｂから出力された波形指示信号で、なだらかな低周波で振幅変調してなすその他のモードと、上記リズムモードとその他のモードを自動で択一的に切り替えて出力するミックスモードとを備えてなり、
ミックスモードで出力する場合は、リズムモード出力によるリズム刺激、その他のモード出力による刺激を、択一し切り替えながら人体に付与できることを特徴とする請求項１又は２又は３又は４記載のリズム刺激付干渉低周波治療器。
【発明の詳細な説明】
【技術分野】
【０００１】
本発明は、人体患部に互いに交叉させた二つ又は複数の中周波電流通電を行ない、二つの中周波電流の周波数の差に相当する刺激（＝干渉刺激）を二つの中周波電流の交叉部位に生じさせ、当該干渉刺激を人に付与する干渉低周波治療器に関する。
【背景技術】
【０００２】
干渉低周波治療器は、周波数１ＫＨｚ乃至１０ＫＨｚ程度の異なる周波数の複数個の電流を体内に流し、この周波数の差によって体内に生じる干渉電流を刺激に応用したものであり、通常は２組の導子によって実施される。
この干渉電流の周波数を１Ｈｚ〜２００Ｈｚ程度とすることで、人が知覚し得る低周波刺激を患部（＝人体内）に与えることが出来る。
【０００３】
干渉刺激は、複数組の中周波電流の周波数差により生じ、複数組の電流が交叉する部位で干渉刺激を発生する。
【特許文献１】特開２００３−１０３４４号公報
【特許文献２】特開２００２−２６３２００号公報
【発明の開示】
【発明が解決しようとする課題】
【０００４】
従来技術の特開２００２−２６３２００号のものは、搬送波を振幅変調するものであり、特開２００３−１０３４４号のものは、搬送波を、振幅変調と周波数変調とを行なうものである。
従来技術のものでは、マイルドな干渉波刺激を発生でき、また、1つの搬送波だけで筋肉を刺激できる。
【０００５】
前掲従来技術のものは、前述のような特長を有しているが、干渉刺激が単調となり不都合である。
又、マイルドな電流刺激であって旧来のパルス電流による刺激に比して大きい電流が必要となり非効率であり、又大きい電流による火傷の危険性があった。
一方、パルス電流やバースト電流による刺激を付与する旧来の装置は、急激に電流が変化するため通電時に患者に痛みを感じさせたり不快感を与えたりし、不都合であった。
【課題を解決するための手段】
【０００６】
本発明の目的は、人体患部に継続的に、心地よく新鮮な干渉刺激を付与できるリズム刺激付干渉低周波治療器を提供することにある。
【０００７】
即ち本発明は、干渉低周波治療器５において、出力される搬送波Ａ・Ｂのそれぞれを振幅変調して、パルス状の波形が付加された変調搬送波ａ・ｂを形成し、
この変調搬送波ａ・ｂを人体に通電し、該人体に干渉刺激及びパルス形振幅変調刺激を付与するリズム刺激付干渉低周波治療器である。
干渉低周波治療器５は、主制御部１と、出力発振部２ａ・２ｂと、増幅部３ａ・３ｂと、制御部４とを有し、出力発振部２ａ・２ｂから出力された搬送波Ａ・Ｂは、増幅部３ａ・３ｂにて波形指示信号でそれぞれ振幅変調され、振幅変調された変調搬送波ａ・ｂは、拡大振幅部分Ｎを有する干渉波Ｄを人体内で発生し、該拡大振幅部分Ｎは人にパルス形振幅変調刺激を付与する。
予め主制御部１に、リズム刺激に係るパルス周波数（＝１／パルス周期Ｆｐ）と、干渉刺激に係る干渉周波数（＝１／干渉周期Ｆｄ）とを組み合わせてなる１単位のステップを、それぞれ異なる周波数を宛がって１又は複数個作成し記録し、前記ステップのいずれかを所定秒数ごとに択一的に出力し、生体に通電し、該生体にリズム刺激を付与する。
搬送波Ａ・Ｂのそれぞれを振幅変調させ、制御部４から出力する２個の波形指示信号は、互いに同期しており、変調した変調搬送波ａ・ｂには２個の波形指示信号に起因する拡大振幅部分Ｋ・Ｍが、互いに同期して形成され、同期した拡大振幅部分Ｋ・Ｍによって干渉波Ｄに間欠的な拡大振幅部分Ｎが現出する。
出力発振部２ａ・２ｂから出力された搬送波Ａ・Ｂをパルス制御部４Ａ・４ｂから出力された波形指示信号で振幅変調してなすリズムモードと、前記搬送波Ａ・Ｂを低周波乙制御部１３ａ・１３ｂから出力された波形指示信号で、なだらかな低周波で振幅変調してなすその他のモードと、上記リズムモードとその他のモードを自動で択一的に切り替えて出力するミックスモードとを備えてなり、ミックスモードで出力する場合は、リズムモード出力によるリズム刺激、その他のモード出力による刺激を、択一し切り替えながら人体に付与できる。
【発明の効果】
【０００８】
本発明に係る振幅変調された変調搬送波ａ・ｂは、人体に、干渉刺激及びパルス形振幅変調刺激を付与するものであるから、リズミカルな刺激感が得られ、又、少ない電流で干渉刺激及びパルス形振幅変調刺激の大きな刺激を付与でき、又、小電流のゆえに火傷を防止でき、好都合である。
通常の搬送波を振幅変調して、パルス形状の拡大振幅部分Ｋ・Ｍのある変調搬送波ａ・ｂとなしこれを用いて好適な刺激感を与え、又、効率的で火傷の起こりにくく、好都合である。
【０００９】
本発明に係る振幅変調された変調搬送波ａ・ｂには、拡大振幅部分Ｋ・Ｍが形成され、拡大振幅部分Ｋ・Ｍは体内で拡大振幅部分Ｎを発生させるものであるから、該拡大振幅部分Ｎが、小電流でありながらパルス形振幅変調刺激の快適な叩き感を人に付与でき、好都合である。
【００１０】
本発明は、予め主制御部１に、パルス周波数及び干渉周波数を組み合わせてなる１単位のステップを、１又は複数個作成し記録し、前記ステップのいずれかの出力を所定秒数ごとに択一的に取り出し、生体に付与するものであるから、複数個のステップに係る異なる刺激を生体に付与でき、慣れを防止でき、好都合である。
【００１１】
本発明は変調された変調搬送波ａ・ｂにおける同期した拡大振幅部分Ｋ・Ｍによって干渉波Ｄに間欠的な拡大振幅部分Ｎを現出させるものであるから、拡大振幅部分Ｋ・Ｍが同期しておりこの出力を体内に付与し、間欠的な拡大振幅部分Ｎを生じせしめ、少ない電流で大きな間欠的な刺激、即ち、トントントンといった快適な刺激を人に付与でき、好都合である。
【００１２】
本発明は、リズムモード及びその他のモードの中からいずれかを自動で択一的に出力するミックスモードを備え、ミックス刺激を行なう場合は、ミックスモードの出力をもって、リズム刺激、その他の刺激のいずれかを人体に付与できるから、複数種類の刺激感を人に付与でき、慣れを防止でき、又、リズム刺激、その他の刺激の複数種類の通電感が切り替わり得られ刺激の種類が変わることにより、期待感が生まれ、又新鮮感を維持でき、好都合である。
【発明を実施するための最良の形態】
【００１３】
人体患部に継続的に、心地よく新鮮な干渉刺激を付与できるリズム刺激付干渉低周波治療器を提供するという目的を、干渉低周波治療器５において、出力される搬送波Ａ・Ｂのそれぞれを振幅変調して、パルス状の波形が付加された変調搬送波ａ・ｂを形成し、この変調搬送波ａ・ｂを人体に通電し、該人体に干渉刺激及びパルス形振幅変調刺激を付与するリズム刺激付干渉低周波治療器をもって実現した。
【実施例１】
【００１４】
実施例１の干渉低周波治療器５は、互いに別個の電源であるＣｈ.１（＝チャンネル１）Ａ側電源とＣｈ.１Ｂ側電源とによって、体内で交叉する様に人体患部に、搬送波Ａ・Ｂに係る中周波電流を流す。
搬送波Ａ・Ｂは互いに周波数が異なるため、その周波数の差の干渉電流（＝干渉波Ｄ）が患部体内に生じ、これが干渉刺激となる。該干渉電流の波形を干渉波Ｄと称する。
【００１５】
実施例１の干渉低周波治療器５のＣｈ.１は、主制御部１と、制御部４（パルス制御部４ａ・４ｂ）と、波形発生部２（＝出力発振部２ａ・２ｂ）と、増幅部３ａ・３ｂと、出力変圧器１４ａ・１４ｂとから構成される。
出力変圧器１４ａ・１４ｂの二次側に導子６が接続される。
【００１６】
主制御部1は、出力発振部２ａ、２ｂを制御するものであり、パルス制御部４ａ・４ｂは増幅部３ａ・３ｂを制御するものである。
【００１７】
出力発振部２ａ・２ｂは、搬送波Ａ・Ｂを発振し出力するものである。
出力発振部２ａ・２ｂが出力する搬送波Ａ・Ｂの周波数は、主制御部１で決められるものであって予め主制御部１に設定し記録されている。
【００１８】
パルス制御部４ａ・４ｂは、振幅変調用のリズムを有する２個の波形指示信号を出力するものである。２個の波形指示信号は、互いに、同期しており大きさも同等である。
【００１９】
増幅部３ａ・３ｂは、前記した各搬送波Ａ・Ｂのそれぞれを、電力増幅すると共に前記波形指示信号で振幅変調するものである。
増幅部３ａ・３ｂが出力する変調された搬送波ａ・ｂ（以下変調搬送波ａ・ｂという）には、波形指示信号が作用してパルス状の波形（＝拡大振幅部分Ｋ・Ｍ）が付加される。
拡大振幅部分Ｋ・Ｍは、互いに、同期して同等の大きさであって、間欠的に形成される。
【００２０】
出力変圧器１４ａ・１４ｂは、増幅された搬送波Ａ・Ｂを電圧変換すると共に１次側（＝入力側）と２次側（＝出力側）の電気絶縁を図るものである。
【００２１】
一対のＡ側導子６ａ・６ｂと、他の一対のＢ側導子７ａ・７ｂは、人体患部における通電路が互いに交差するように該人体表面に装着され、該患部に変調搬送波ａ・ｂを通電するものである。
【００２２】
変調搬送波ａ・ｂは体内で干渉波Ｄを生じ、この時、前記拡大振幅部分Ｋ・Ｍに起因して干渉波Ｄに間欠的な拡大振幅部分Ｎを生じる。体内で、干渉波Ｄは人に干渉刺激を付与し、拡大振幅部分Ｎはパルス形振幅変調刺激を付与する。
【００２３】
即ち、パルス制御部４ａ・４ｂの波形指示信号を得た増幅部３ａ・３ｂは、搬送波Ａ・Ｂを該波形指示信号で振幅変調してリズムモードになす。
リズムモードの変調搬送波ａ・ｂを用いて人にリズム刺激を付与する。
【００２４】
予め主制御部１に、リズム刺激に係るパルス周波数（＝１／パルス周期Ｆｐ）と、干渉刺激に係る干渉周波数（＝１／干渉周期Ｆｄ）とを組み合わせてなる１単位のステップをつくる。
【００２５】
干渉波Ｄの周波数は、搬送波Ａの周波数と搬送波Ｂの差が前記特定周波数となるよう、搬送波Ａの周波数と搬送波Ｂの周波数を設定し主制御部１に記録されている。
１単位のステップをそれぞれ異なる適宜な周波数でステップＧ・Ｈ・Ｉ・Ｑ・Ｒと名付けて複数個作成し記録している。
【００２６】
具体例では、各ステップにおけるリズム刺激に係るパルス周波数と干渉刺激に係る干渉周波数との組み合わせは表１に示すものとする。
【表１】
2010131316.tif 000003
これらのステップの１個のみを出力し、又は複数個のステップＧ・Ｈ・Ｉ・Ｑ・Ｒのいずれかを所定秒数ごとに択一的に出力し、その出力を生体に付与しそれぞれ異なる刺激を発現させる。体内で干渉波Ｄは人に干渉刺激を付与し、拡大振幅部分Ｎはパルス形振幅変調刺激即ちリズム刺激（＝リズムをもってトントントンと叩くような刺激）を付与する。
【００２７】
実施例１のリズム刺激付干渉低周波治療器１１の使用に際して、実施例１を作動させ、変調搬送波ａ・ｂが出力変圧器１４ａ・１４ｂ及び導子６を経由して、二つの経路に通電し、体内に入ると、干渉波Ｄを生体に生じさせる。
【００２８】
主制御部１は、出力発振部２ａ・２ｂを制御し、出力発振部２ａ・２ｂから所定周波数の搬送波Ａ・Ｂを出力する。
パルス制御部４ａ・４ｂは、所定周波数の２つの波形指示信号を出力する。２つの波形指示信号は互いに同期している。
【００２９】
増幅部３ａ・３ｂは、搬送波Ａ・Ｂを振幅増幅すると共に、波形指示信号をもって振幅を変調する。
その結果、変調された変調搬送波ａ・ｂには波形指示信号に起因する拡大振幅部分Ｋ・Ｍが互いに同期して形成される。
Ｃｈ.１のＡ側導子６ａ・６ｂを、患部を挟むよう互いに間隔を空けて人体表皮に装着し一つ目の通電経路を作る。
次に、Ｃｈ.１のＢ側導子７ａ・７ｂを、一つ目の通電経路と交叉させ且つ患部をはさむように人体表皮に装着し、二つ目の通電経路を作る。
【００３０】
人体表面に、Ａ側導子６ａ・６ｂと、Ｂ側導子７ａ・７ｂを装着し電流を流す。二個通電経路の電流が互いに直交する部分（＝患部体内）には、その直交のため、Ａ側の電流とＢ側の電流とが影響し合い、干渉波Ｄが発生する。
図２（ｅ）は、干渉波Ｄの発生状態を示す。同期した拡大振幅部分Ｋ・Ｍ（＝パルス状の波形が付加された部分）によって、間欠的に拡大振幅部分Ｎが生体に生じる。干渉波Ｄは生体に干渉刺激を与え、拡大振幅部分Ｎは生体にパルス形振幅変調刺激（＝リズム刺激）を与える。
【００３１】
次に、主制御部１に記録しているステップＧ、Ｈ、Ｉ、Ｑ、Ｒに付いて説明する。
実施例１は、主制御部１に記録したステップＧ、Ｈ、Ｉ、Ｑ、Ｒで制御された変調搬送波ａ・ｂを出力し、前記二つの経路に、通電する。
【００３２】
詳しく述べると、先ず、主制御部１に記録したステップＧは、リズム刺激３Ｈｚ、干渉刺激０.５Ｈｚである。
「リズム刺激３Ｈｚ」では、主制御部１はパルス周波数を３Ｈｚに設定し指令発信する。パルス制御部４ａ・４ｂは、パルス周波数が３Ｈｚとなるように波形指示信号を出力する。
「干渉刺激０．５Ｈｚ」では、主制御部１は搬送波Ａの周波数と搬送波Ｂの周波数との差を０．５Ｈｚに設定し指令発信する。
【００３３】
変調搬送波ａ・ｂの振幅は、波形指示信号で振幅変調されており、変調搬送波ａ・ｂに間欠的に拡大振幅部分Ｋ・Ｍが形成される。上記のように作動して、人に、「リズム刺激３Ｈｚ」、「干渉刺激０．５Ｈｚ」のステップＧの出力を４秒行なう。
【００３４】
ステップＧに続いて、主制御部１は、ステップＨに係る出力を行なう。リズム刺激５Ｈｚ、干渉刺激１ＨｚのステップＨを４秒間行なう。
続いて、リズム刺激１０Ｈｚ、干渉刺激１．５Ｈｚ、ステップＩを４秒間行なう。
【００３５】
続いて、リズム刺激１５Ｈｚ、干渉刺激２ＨｚのステップＱを４秒間行なう。
更に続いて、リズム刺激２０Ｈｚ、干渉刺激２．５Ｈｚ、ステップＲを４秒間行なう。
次に、ステップＧに戻って、前記のステップＧ、Ｈ、Ｉ、Ｑ、Ｒを繰り返し行なう。
【００３６】
繰り返しに係るステップの選択の他の仕方は、先ず、ステップＧ、Ｈ、Ｉの順にならべたグループ１を作る。
次に、Ｈ、Ｇの順にならべたグループ２を作る。
そして、４秒ごとに、グループ１、２から交互に、ならべた順に、ステップを１つずつ選択していく。即ち、ステップＧ、Ｈ、Ｈ、Ｇ、Ｉ、Ｈ、Ｇ、Ｇ、Ｈ、Ｈ、Ｉ…のように選択する。選択した各ステップを実施した出力を、患部に付与する。
【００３７】
上述のように２つの搬送波Ａ・Ｂをそれぞれ振幅変調して通電し、干渉波Ｄによる干渉刺激と、拡大振幅部分Ｎによるリズム刺激とを、患部に併せ与える。
干渉刺激は、２つの電流の交叉部位を中心に適宜な範囲を刺激する。リズム刺激は、各一対の導子６間を刺激し更に各導子６の周囲を刺激する。
【００３８】
次に、実施例１で、ミックスモードによりミックス刺激を人に付与する場合を説明する。
即ち、前記リズム刺激に係るリズムモードに、その他のモードを加え、複数のモードを繰り返し実施するものである。
尚、リズムモード、その他のモード等を単独で実施し施療に供することも可能である。
【００３９】
その他のモードに付いて説明すると、増幅部３ａ・３ｂは低周波甲制御部１３ａ・１３ｂが出力する波形指示信号を得て、搬送波Ａ・Ｂをなだらかな３０Ｈｚ程度の低周波甲で振幅変調する。
【００４０】
低周波甲に係るモード（＝その他のモード１）の出力を用いて、４個導子６に囲まれた範囲内で広範に起きる刺激を人に付与する。詳細には、低周波甲に係るモードの出力による刺激は、通常の干渉刺激に、変調に起因する刺激が加わり、２つの電流の交叉部位や各導子６周囲の広範囲な面積を刺激するものであり、広範囲な面積を治療できる。
【００４１】
又、増幅部３ａ・３ｂは低周波乙制御部１２ａ・１２ｂが出力する波形指示信号を得て、搬送波Ａ・Ｂをなだらかな１２０Ｈｚ程度の低周波乙で振幅変調する。
【００４２】
低周波乙に係るモード（＝その他のモード２）の出力を用いて、４個導子６に囲まれた範囲内で広範に起きる刺激を人に付与する。
【００４３】
ミックスモードに付いて説明すると、制御部４は、前記波形指示信号、前記低周波甲に係る信号、前記低周波乙に係る信号、等のいずれか１つを自動で切り替えながら選択し発信する。
増幅部３ａ・３ｂは、制御部４から得た３種類のうちいずれか１つの信号をもって搬送波Ａ・Ｂを振幅変調してミックスモードと為す。
【００４４】
ミックスモードは、リズムモードとその他のモード１、２の中のいずれかを順次作成するものである。
ミックスモードの出力を用いてミックス刺激を人に付与する。ミックス刺激は、リズム刺激、その他のモード１、２等による刺激の中のいずれか１つを、所定時間ごとに入れ替えながら人体に付与する。
【００４５】
尚、図１中の８は治療時間を設定し計るタイマースイッチ、９は４極通電モードと８極通電モードとを切り替えるモード選択スイッチ、１０は出力ボリューム、１５は、体表のみに適用され商用電源から絶縁された型（＝ＢＦ型）に係るＢＦ型装着部、１６は吸着導子（図示省略）を作用させる吸引ポンプ、１７は治療時間の残時間を表示する表示器、１８は出力を停止させる停止スイッチ、１９はチャンネル１（＝Ｃｈ.１）に係るブロック、２０はチャンネル２（＝Ｃｈ.２）に係るブロック、２１ａはチャンネル１のＡ側の出力電流表示器、２１ｂはチャンネル１のＢ側の出力電流表示器である。尚、前記８極通電を行なう場合は、Ｃｈ．１にＣｈ．２を加えて作動させる。
【産業上の利用可能性】
【００４６】
本発明は、干渉低周波治療器５において、出力される搬送波Ａ・Ｂのそれぞれを振幅変調して、パルス状の波形が付加された変調搬送波ａ・ｂを形成し、この変調搬送波ａ・ｂを人体に通電し、該人体に干渉刺激及びパルス形振幅変調刺激を付与するリズム刺激付干渉低周波治療器に適用できる。
【図面の簡単な説明】
【００４７】
【図１】本発明の実施例１の電気的構成を示すブロック図である。
【図２】本発明の実施例１の波形を示す図であり、（ａ）は搬送波Ａ、（ｂ）は搬送波Ｂ、（ｃ）は変調搬送波ａ、（ｄ）は変調搬送波ｂ、（ｅ）は干渉波Ｄを示す。
【図３】本発明の実施例１の外観図である。
【符号の説明】
【００４８】
１    主制御部
２ａ  出力発振部
２ｂ  出力発振部
３ａ  増幅部
３ｂ  増幅部
４    制御部
４ａ  パルス制御部
４ｂ  パルス制御部
５    干渉低周波治療器
６ａ  Ａ側導子
６ｂ  Ａ側導子
７ａ  Ｂ側導子
７ｂ  Ｂ側導子
１３ａ  低周波乙制御部
１３ｂ  低周波乙制御部
Ａ    搬送波
Ｂ    搬送波
ａ    変調搬送波
ｂ    変調搬送波
Ｄ    干渉波
Ｇ    ステップ
Ｈ    ステップ
Ｉ    ステップ
Ｑ    ステップ
Ｒ    ステップ
Ｋ    搬送波Ａの拡大振幅部分
Ｍ    搬送波Ｂの拡大振幅部分
Ｎ    干渉波Ｄの拡大振幅部分
【図１】
2010131316.tif 000004
【図２】
2010131316.tif 000005
【図３】
2010131316.tif 000006